(57)【要約】  小さい物品を収納するために適している内部区画を画定する複数の壁（１５、１６、１８、１９）を有している容器（１１）、および容器（１１）に対して搖動可能につながれている蓋（１２、１１２）を備えているポケットサイズの箱。舌状部（２５）は、上記容器（１１）の上辺（２６）に対して搖動可能につながれている。
2015503494.tif 000002
【特許請求の範囲】
【請求項１】
小さい物品を収納するために適している内部区画（２０）を画定する複数の壁（１５、１６、１８、１９）を有している容器（１１）、および上記容器（１１）の上記内部区画（２０）へのアクセスが妨げられる閉鎖位置から、上記内部区画（２０）への上からのアクセスを可能にする開放位置までか、またはその逆に可動する、当該容器（１１）に対して搖動可能につながれている蓋（１２、１１２）を備えており、上記容器（１１）の上部要素（２５、２２５）は、上記蓋（１２、１１２）が閉鎖位置にあるときに上記蓋（１２、１１２）と協働するために適している、ポケットサイズの箱であって、
上記蓋（１２、１１２）は、上記蓋（１２、１１２）が閉鎖位置にあるときに上記容器（１１）の上記上部要素（２５、２２５）と協働するために構成されている２つの側部要素（２３）を有している上部、および上記蓋（１２、１１２）が上記容器（１１）についてそれによって搖動される平坦な壁（２１、１２１）を有している下部を備えていることを特徴とするポケットサイズの箱。
【請求項２】
上記上部要素は、上記容器（１１）の上辺（２６）に対して搖動可能につながれている舌状部（２５、２２５）を備えており、上記舌状部（２５、２２５）は、当該舌状部（２５、２２５）が上記内部区画（２０）の上部を少なくとも部分的に覆う閉鎖位置から、当該舌状部（２５、２２５）が上記内部区画（２０）へのアクセスを妨げない開放位置までか、またはその逆に可動することを特徴とする請求項１に記載のポケットサイズの箱。
【請求項３】
上記舌状部（２５、２２５）の幅は、上記側部要素（２３）の間における内部距離よりわずかに大きく、上記蓋（１２、１１２）および舌状部（２５、２２５）の両方が閉鎖位置にあるときに上記蓋（１２、１１２）が偶然に開くことを防いでいることを特徴とする請求項２に記載のポケットサイズの箱。
【請求項４】
上記複数の壁（１５、１６、１８、１９）は、底部壁（１９）を少なくとも備えており、上記蓋（１２、１１２）が開放位置にあるときにさえ上記内部区画（２０）を選択的に閉じるように、上記舌状部（２５、２２５）のサイズは、上記底部壁（１９）のサイズと等しいか、または当該サイズよりわずかに小さいことを特徴とする請求項２または３に記載のポケットサイズの箱。
【請求項５】
上記側部要素（２３）は、上記蓋（１２、１１２）の上部壁（１５）と連絡している、上記蓋（１２、１１２）の２つの対応する側面を画定していることを特徴とする請求項１〜４のいずれか１項に記載のポケットサイズの箱。
【請求項６】
上記複数の壁（１５、１６、１８、１９）は、前部壁（１５）および底部壁（１９）を少なくとも備えており、上記蓋（１２）の上記平坦な壁（２１）は、上記前部壁（１５）と実質的に同じサイズを有しており、上記前部壁（１５）の、上記底部壁（１９）と交わる部分に配置されている搖動する辺（１３）に対して搖動可能につながれていることを特徴とする請求項１〜３および５のいずれか１項に記載のポケットサイズの箱。
【請求項７】
上記複数の壁（１５、１６、１８、１９）は、底部壁（１９）を少なくとも備えており、上記蓋（１２、１１２）の上記平坦な壁（１２１）は、実質的に台形形状を有しており、底部壁１９の前部辺について一定の角度（α）だけ傾けられている傾斜した辺１１３に対して搖動可能につながれていることを特徴とする請求項１〜５のいずれか１項に記載のポケットサイズの箱。
【請求項８】
上記舌状部（２５、２２５）は、２つの部材２２５ａおよび２２５ｂにされており、当該２つの部材２２５ａおよび２２５ｂは、互いに等しく、単一の形作られている薄板（２３０）から作製されており、折りたたまれるためおよび互いに付着されるために適していることを特徴とする請求項２〜４のいずれか１項に記載のポケットサイズの箱。
【請求項９】
２つの側部のひれ状部（２３２、２３３）は、上記蓋（１２）の上記平坦な壁と一体にされており、それぞれが上記平坦な壁（２１）の半分の幅であり、上記平坦な壁（２１）に対して折りたたまれるために適していることを特徴とする請求項１〜８のいずれか１項に記載のポケットサイズの箱。
【請求項１０】
上記２つの側部のひれ状部（２３２、２３３）は、上記平坦な壁（２１）に貼り付けられていることを特徴とする請求項９に記載のポケットサイズの箱。
【請求項１１】
単一の側部のひれ状部（３３３）は、上記平坦な壁（２１）の幅と等しい幅を有して、上記蓋（１２）の上記平坦な壁と一体にされており、上記平坦な壁（２１）に対して折りたたまれるために適していることを特徴とする請求項１〜８のいずれか１項に記載のポケットサイズの箱。
【請求項１２】
上記側部のひれ状部（３３３）は、上記平坦な壁（２１）に貼り付けられていることを特徴とする請求項９に記載のポケットサイズの箱。
【発明の詳細な説明】
【技術分野】
【０００１】
本発明は、小型の製品（例えば、甘味、錠剤またはタバコ製品（例えば紙巻きタバコ）など）を収納するための箱に関する。
【背景技術】
【０００２】
厚紙の形作られた一片を用いて一般的に作製されるポケットサイズの箱の分野において、製品および閉鎖要素（すなわち蓋）を配置するための十分に固い収納本体を有していることが必要である。当該閉鎖要素は、容器に対して搖動可能につながれており、閉鎖位置および開放位置の間において容易に可動する。また、蓋は、容器を握っている手が使われ得る場合に容易かつより良好に閉鎖可能でなければならない。
【０００３】
そのような種類の箱の作製における主な問題は、広告標語、図形の模様がユーザ向けのメッセージと組み合わせて書きこまれ得るような大きい自由な面を有している箱を作製することである。
【０００４】
特に、紙巻きタバコに使用される箱において、健康に関する伝言に充てられるべきと法律が述べている大きな空白を考慮すると、広告用の空白を見つけるのは、なおさら差し迫っており、重要である。
【０００５】
多くの公知のポケットサイズの箱のうち、一部が、国際公開第２０１１／０１０１８５号（ＷＯ’１８５）に記載されている。そこに記載されているポケットサイズの箱は、間隙の範囲を決める側部にある強化する折り重ねが、蓋に存在しているので、作製のためにむしろ複雑であり、高い費用を要する。さらに、公知の当該ポケットサイズの箱には、ユーザ側の意図的な任意の行動なしに、意図せずに蓋が開くことを防ぐ安全手段が付されていない。
【０００６】
さらに、出願人は、提案されている教示の種類のために出願ＷＯ’１８５が有していない、特定の方策を用いて確保され得る空白があることを確認している。
【０００７】
紙巻きタバコの他の箱は、米国特許第３，４３８，５６４号明細書、国際公開第２１１０／０６３５６９号、特開昭４９−０８３１２１号公報、米国特許第３，７９４，２３８号明細書、国際公開第２００６／０９０２４６号、特開平０２−１１７３１４号公報から公知である。
【０００８】
したがって、本発明の第１の目的は、広告文および宣伝文、または特定のメッセージのために使用される新たな空白を、作り、与えることである。
【０００９】
本発明の別の目的は、文章、絵柄、意匠文字、商標またはユーザ向けの任意の他の情報を加えることが可能な、そのサイズに関して最大限の表面を有しているポケットサイズの箱を実現することである。
【００１０】
本発明の別の目的は、ユーザが開くことを望むときにのみ蓋が開かれる、信頼性の高い単純なポケットサイズの箱を実現することである。
【００１１】
本発明の別の目的は、蓋が閉じられているとき以外にも、それに収納されている製品がその上部を保護された状態にあるポケットサイズの箱を作製することである。
【００１２】
本発明のさらなる目的は、片手によって開き、かつ取り扱われ得るポケットサイズの箱を作製することである。
【００１３】
出願人は、最新技術の欠点を克服するために、かつこれらのおよび他の目的および利点を達成するために、本発明を考案し、検証し、かつ具体化させた。
【発明の概要】
【００１４】
本発明は、独立請求項に記載されており、かつ特徴づけられており、従属請求項は、本発明の他の特徴または発明の主要な着想の変形について説明している。
【００１５】
当業者にとって予測不可能、意外かつ有利な手段においてすべての上述の目的を達成する新規かつ独創的な技術的解決法は、本発明に係るケットサイズの容器を備えているポケットサイズの箱の製造を可能にする。
【００１６】
上記容器は、紙巻きタバコまたは類似の喫煙製品のために通常に生じるように偶然にか、またはまとまった状態において、小型の製品（例えば、紙巻きタバコ、甘味または錠剤など）が、配置され得る内部区画を画定する複数の壁を有している。ポケットサイズの箱は、蓋に対して搖動可能につながれているか、または任意の場合に関節によって容器に連結されている蓋を有している。
【００１７】
上記蓋は、閉鎖位置、および内部区画へのアクセスを可能にする開放位置の間において、例えば回転によって、可動する。
【００１８】
容器は、蓋が閉鎖位置にあるときに蓋と協働するために適している上部要素を備えている。
【００１９】
本発明の主な特徴によれば、上記蓋は、閉鎖位置にあるときに容器の上部要素と協働するように構成されている側部要素を有している上部、および容器に対して蓋が搖動可能につながれている平坦な壁を有している下部の両方を備えている。
【００２０】
このようにして、蓋の平坦な壁には、宣伝文もしくは広告文、または特定のメッセージのために使用される、互いに平行な内側および外側の十分な大きさの２つの表面がある。
【００２１】
さらに、本発明の他の特徴によれば、上部要素は、容器の上端に対して搖動可能につながれている舌状部を備えており、当該舌状部はまた、内部区画の上部の少なくとも一部を当該舌状部が覆っている閉鎖位置と、内部区画へのアクセスを当該舌状部が妨げない開放位置との間において可動する。一変形によれば、舌状部は、蓋と協働して、両方が閉鎖位置にあるときに意図せずに蓋が開くことを防ぐために適している。
【００２２】
さらに、本発明の副次的な特徴によれば、蓋が開放位置にあるときにさえ内部区画を選択的に閉じられるように、舌状部の大きさは、容器の底面と実質的に等しいか、または当該底面よりわずかに小さい。
【００２３】
特に、本発明の他の副次的な特徴によれば、閉鎖位置にある舌状部は、蓋が閉鎖位置にあるときにさえ、蓋の２つの側部要素とわずかにしか干渉せず、協働するために適している。
【００２４】
このように、舌状部は、好都合なことに三重の機能を有している。舌状部が閉鎖位置にあり、蓋も閉鎖位置にあるときに、舌状部は、蓋と協働して蓋を閉鎖位置に維持する。舌状部は、蓋が開放位置にあるときにさえ、容器上部の開口部を覆い、収納された製品を保護し得る。また、必要に応じて外面だけでなく内面は、ユーザ向けの情報が書き込まれ得る空白を増やすために利用可能である。
【００２５】
実施形態の一形態において、上記舌状部は、舌状部および蓋の両方が閉鎖位置にあるときに意図されずに蓋が開くことを防ぐために、蓋の側部要素の間における距離よりわずかに大きい幅を有している。
【００２６】
本発明のこれらの特徴および他の特徴は、添付の図面を参照した非限定的な例として与えられている実施形態の選択的な形態の以下の記載から明らかになる。
【図面の簡単な説明】
【００２７】
【図１】閉鎖位置にある本発明に係るポケットサイズの箱の立体的な正面図である。
【図２】本発明に係る図１に示されたポケットサイズの箱の立体的な背面図である。
【図３】閉鎖位置にある本発明に係る、図１におけるポケットサイズの細部の断面図である。
【図４】開放位置にある本発明に係る、図１におけるポケットサイズの箱の立体的な正面図である。
【図５】閉鎖位置にある図１におけるポケットサイズの箱の第１の変形の立体的な正面図である。
【図６】図５における変形に係る、開放位置にあるポケットサイズの箱の立体的な正面図である。
【図７】開放位置にある図１におけるポケットサイズの箱の第２の変形の縮小された倍率の立体的な正面図である。
【図８】破線を用いて示されている辺に沿って折りたたむこと、およびそれらを接着することによって、図７のポケットサイズの箱を作製可能な、形作られている２枚のシートの平面図である。
【図９】図８における形作られている２枚のシートの一方の変形の平面図ある。
【発明を実施するための形態】
【００２８】
理解を容易にするために、同一の参照番号は、記載されている異なる実施形態において同一の部材を指している。
【００２９】
図１、２および３を参照すると、本発明に係るポケットサイズの箱１０は、容器１１、および搖動する辺１３に沿って容器１１に対して搖動可能につながれている蓋１２を備えている。容器１１および蓋１２は、例えば容易に折りたたまれ得る十分に固い材料の薄板（例えば、好適に形作られており、折りたたまれ、かつ上記辺に沿って接着するか、または貼り付けられる厚紙、金属薄板、プラスチック材料）を用いて、公知の任意の方法において作製され得る。
【００３０】
ここに示されている例において、容器１１は、頂部に向いて開口している内部区画２０を画定する前部壁１５、後部壁１６、２つの側部壁１８、底部壁１９をともなっている平行六面体の形状を有している。蓋１２の搖動する辺１３は、前部壁１５の、底部壁１９と交わる部分に配置されている。また、蓋１２および容器１１の間にある搖動する要素は、それらが作製されているシートの単純な折り曲げ部であり得る。
【００３１】
蓋１２は、強化するつばまたは隆起なしの、矩形形状の単純な平坦な壁２１、搖動する辺１３と逆の端部に配置されている上部壁２２、および上部壁２２を平坦な壁２１と直角に維持している、三角形状の側部にある２つの側面またはつば２３を備えている。
【００３２】
丸みを付されているか、または斜にされている隅部を１つ以上ともなっている実質的に矩形形状を当該例において有している舌状部２５は、後部壁１８の上辺２６に対して搖動可能につながれている。便利なことに舌状部２５は、容器１１および蓋１２が作製されている、同じ有形薄板（same sheet of material）から作製されている。
【００３３】
また、舌状部２５は、容器１１の側部壁１８と合わさり、かつ内部区画２０の開口部を閉鎖する閉鎖位置もしくは降下位置、および内部区画２０へのアクセスを可能にする開放位置の間において、上辺２６について回転することによって、可動する。
【００３４】
舌状部２５の大きさは、底部壁１９の大きさと実質的に等しいか、または壁１９よりわずかに小さい。特に、舌状部２５の幅（すなわちこの場合におけるより広い側）は、蓋１２の側部にある２つの側面２３の間における内部距離よりわずかに（例えば、１ミリメートルの１０分の１の数倍だけ）広い（図４）。
【００３５】
このようにして、舌状部２５は、わずかにたわみ、わずかな圧力を蓋１２の側方に及ぼし、こうして蓋１２を閉鎖位置に保持することに寄与するように、舌状部２５および蓋１２の両方が閉鎖位置にあるときに、蓋１２の側部にある側面１２への舌状部２５のわずかな干渉がある。したがって、側部にある側面２３に対して舌状部２５によって及ぼされている力を超える一定の力を誰かが蓋１２に加えることなく、蓋１２が開き得ることは、ほぼ起こり得ない（すなわち、いかなる場合にも極めてあり得ない）。箱１０を保持している同じ手でさえ１本の指を用いてユーザがそれを加え得るように、そのような力が大きくなくてよいことは、明らかである。
【００３６】
また、図５および６に示されている第１の変形によれば、本発明に係るポケットサイズの箱１１０は、下部においてのみ蓋１２と異なる蓋１１２を備えている。実際に、蓋１１２は、形状について矩形ではなく台形に形作られており、かつ搖動する辺１３に対して搖動可能につながれているのではなく、傾斜した辺１１３に対して搖動可能につながれている平坦な壁１２１を備えており、傾斜した辺１１３は、一定の角度αだけ傾けられている（例えば、底部壁１９の前部辺について３０°〜５０°において所望の通りに構成されている）。実施において、三角形状のこの場合に、平坦部１２１の下部１２１ａは、例えば接着によって、蓋１１の前部壁１５の下部に取り付けられているに等しい。
【００３７】
箱１１０の残りの部材は、上述されている箱１０の部材と同じである。
【００３８】
また、図７に示されている第２の変形によれば、本発明に係るポケットサイズの箱２１０は、舌状部２５の長さおよび幅と等しい長さおよび幅を有しているが、２つの部材２２５ａおよび２２５ｂにされている舌状部２２５を備えており、２つの部材２２５ａおよび２２５ｂは、図８において明らかであり、互いに等しく、例えば厚紙の、第１の形作られた薄板２３０から作製されている。２つの部材２２５ａおよび２２５ｂは、折りたたまれるためおよび例えば接着することによって、必須ではないができる限り互いに付着されるために適している。第２の形作られた薄板は、前部壁１５、および側部壁１８の一部を作製するために適している。
【００３９】
さらにまた、蓋１２の平坦な壁２１を補強するために、本発明に係る第１の形作られた薄板２３０は、例えば接着することによって、必須ではないができる限り平坦な壁２１に付着される、それぞれが平坦な壁２１の半分の幅である側部にある２つのひれ状部２３２および２３３を備えている。
【００４０】
図９に示されている別の変形によれば、例えば接着することによって、必須ではないができる限り平坦な壁２１に付着される、平坦な壁２１の幅と等しい幅の側部にあるひれ状部３３３が、形作られた薄板３３０には設けられている。
【００４１】
部材の変更および／または追加が、本明細書のここまでに記載されているようなポケットサイズの箱１０および１１０に対して、本発明の領域および範囲から逸脱することなく、なされ得ることは明らかである。
【００４２】
例えば、容器について蓋の搖動する程度は、上述されている程度と異なり得る。
【００４３】
さらに、容器の形状は、平行六面体の形状と異なり得る。
【００４４】
また、一部の特定の例を参照して本発明が説明されているが、当業者は、特許請求の範囲に記載されている通りの、したがってそれによって規定されている保護の範囲内に生じる特徴を有しているポケットサイズの箱の多くの等価な他の形態を実現し得ることが、明らかである。
【図１】
2015503494.tif 000003
【図２】
2015503494.tif 000004
【図３】
2015503494.tif 000005
【図４】
2015503494.tif 000006
【図５】
2015503494.tif 000007
【図６】
2015503494.tif 000008
【図７】
2015503494.tif 000009
【図８】
2015503494.tif 000010
【図９】
2015503494.tif 000011
【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
小さい物品を収納するために適している内部区画（２０）を画定する複数の壁（１５、１６、１８、１９）を有している容器（１１）、および上記容器（１１）の上記内部区画（２０）へのアクセスが妨げられる閉鎖位置から、上記内部区画（２０）への上からのアクセスを可能にする開放位置までか、またはその逆に可動する、当該容器（１１）に対して搖動可能につながれている蓋（１２、１１２）を備えており、上記容器（１１）の上部要素（２５、２２５）は、上記蓋（１２、１１２）が閉鎖位置にあるときに上記蓋（１２、１１２）と協働するために適している、ポケットサイズの箱であって、
上記蓋（１２、１１２）は、上記蓋（１２、１１２）が閉鎖位置にあるときに上記容器（１１）の上記上部要素（２５、２２５）と協働するために構成されている２つの側部要素（２３）を有している上部、および上記蓋（１２、１１２）が上記容器（１１）に対してそれによって搖動可能につながれている平坦な壁（２１、１２１）を有している下部を備えており、
上記上部要素は、上記容器（１１）の上辺（２６）に対して搖動可能につながれている舌状部（２５、２２５）を備えており、上記舌状部（２５、２２５）は、当該舌状部（２５、２２５）が上記内部区画（２０）の上部を少なくとも部分的に覆う閉鎖位置から、当該舌状部（２５、２２５）が上記内部区画（２０）へのアクセスを妨げない開放位置までか、またはその逆に可動し、
上記舌状部（２５、２２５）の幅は、上記側部要素（２３）の間における内部距離よりわずかに大きく、上記蓋（１２、１１２）および舌状部（２５、２２５）の両方が閉鎖位置にあるときに上記蓋（１２、１１２）が偶然に開くことを防いでいることを特徴とするポケットサイズの箱。
【請求項２】
上記複数の壁（１５、１６、１８、１９）は、底部壁（１９）を少なくとも備えており、上記蓋（１２、１１２）が開放位置にあるときにさえ上記内部区画（２０）を選択的に閉じるように、上記舌状部（２５、２２５）のサイズは、上記底部壁（１９）のサイズと等しいか、または当該サイズよりわずかに小さいことを特徴とする請求項１に記載のポケットサイズの箱。
【請求項３】
上記側部要素（２３）は、上記蓋（１２、１１２）の上部壁（１５）と連絡している、上記蓋（１２、１１２）の２つの対応する側面を画定していることを特徴とする請求項１または２に記載のポケットサイズの箱。
【請求項４】
上記複数の壁（１５、１６、１８、１９）は、前部壁（１５）および底部壁（１９）を少なくとも備えており、上記蓋（１２）の上記平坦な壁（２１）は、上記前部壁（１５）と実質的に同じサイズを有しており、上記前部壁（１５）の、上記底部壁（１９）と交わる部分に配置されている搖動する辺（１３）に対して搖動可能につながれていることを特徴とする請求項１または３に記載のポケットサイズの箱。
【請求項５】
上記複数の壁（１５、１６、１８、１９）は、底部壁（１９）を少なくとも備えており、上記蓋（１２、１１２）の上記平坦な壁（１２１）は、実質的に台形形状を有しており、底部壁１９の前部辺について一定の角度（α）だけ傾けられている傾斜した辺１１３に対して搖動可能につながれていることを特徴とする請求項１〜３のいずれか１項に記載のポケットサイズの箱。
【請求項６】
上記舌状部（２５、２２５）は、２つの部材２２５ａおよび２２５ｂにされており、当該２つの部材２２５ａおよび２２５ｂは、互いに等しく、単一の形作られている薄板（２３０）から作製されており、折りたたまれるためおよび互いに付着されるために適していることを特徴とする請求項１または２に記載のポケットサイズの箱。
【請求項７】
２つの側部のひれ状部（２３２、２３３）は、上記蓋（１２）の上記平坦な壁と一体にされており、それぞれが上記平坦な壁（２１）の半分の幅であり、上記平坦な壁（２１）に対して折りたたまれるために適していることを特徴とする請求項１〜６のいずれか１項に記載のポケットサイズの箱。
【請求項８】
上記２つの側部のひれ状部（２３２、２３３）は、上記平坦な壁（２１）に貼り付けられていることを特徴とする請求項７に記載のポケットサイズの箱。
【請求項９】
単一の側部のひれ状部（３３３）は、上記平坦な壁（２１）の幅と等しい幅を有して、上記蓋（１２）の上記平坦な壁と一体にされており、上記平坦な壁（２１）に対して折りたたまれるために適していることを特徴とする請求項１〜６のいずれか１項に記載のポケットサイズの箱。
【請求項１０】
上記側部のひれ状部（３３３）は、上記平坦な壁（２１）に貼り付けられていることを特徴とする請求項９に記載のポケットサイズの箱。
【手続補正２】
【補正対象書類名】明細書
【補正対象項目名】０００７
【補正方法】変更
【補正の内容】
【０００７】
紙巻きタバコの他の箱は、米国特許第３，４３８，５６４号明細書、国際公開第２０１０／０６３５６９号、特開昭４９−０８３１２１号公報、米国特許第３，７９４，２３８号明細書、国際公開第２００６／０９０２４６号、特開平０２−１１７３１４号公報から公知である。
【国際調査報告】
2015503494.tif 000012
2015503494.tif 000013
2015503494.tif 000014